(57)【要約】【課題】現場作業の少量化と容易化を図りながらも防火性能を効果的に向上させることのできる貫通孔防火措置工法及びそれに用いられる貫通孔防火措置キットを提供する。【解決手段】区画体Ｙ側に属する貫通孔Ｈの内周面とこれに挿通された挿通体Ｐの外面との間の隙間Ｓにその隙間Ｓを閉塞するように固形状の耐熱部材１を備え付ける工程と、隙間Ｓに備え付けられた耐熱部材１に受け止め支持させる状態で耐熱部材１の手前側に隙間Ｓを閉塞するように半固形状の耐熱パテ剤Ｊを備え付ける工程とを含む。【選択図】図５
2009243552.tif 000002
【特許請求の範囲】
【請求項１】
区画体側に属する貫通孔の内周面とこれに挿通された挿通体の外面との間の隙間にその隙間を閉塞するように固形状の耐熱部材を備え付ける工程と、
前記隙間に備え付けられた前記耐熱部材に受け止め支持させる状態で耐熱部材の手前側に前記隙間を閉塞するように半固形状の耐熱パテ剤を備え付ける工程とを含む貫通孔防火措置工法。
【請求項２】
請求項１記載の貫通孔防火措置工法に用いられる貫通孔防火措置キットであって、
前記耐熱パテ剤を収容した容器又は袋体と、前記耐熱部材とが含まれている貫通孔防火措置キット。
【発明の詳細な説明】
【技術分野】
【０００１】
本発明は、壁・床・天井などの区画体に形成された貫通孔や区画体に貫通固定された金属製スリーブをもって形成される貫通孔など、区画体側に属する貫通孔の内周面とこれに挿通される配管やケーブル等の挿通体の外面との間の隙間を通じての火炎や熱の漏洩を抑止する目的で当該隙間に防火措置を施すのに適用される貫通孔防火措置工法及びそれに用いられる貫通孔防火措置キットに関する。
【背景技術】
【０００２】
この種の貫通孔防火措置工法としては、前記隙間の全体を閉塞可能な形状に現場で加工した木製の底部材を前記隙間の中間位置や奥側位置に金具等で設置したのち、その底部材の手前側に底部材に受け止め支持させる状態で閉塞精度の高い半固形状の耐熱パテ剤を備え付ける（具体的には、充填）する工法が一般的である。
【０００３】
しかしながら、この貫通孔防火措置工法では、底部材と挿通体との間の間隙を通じて耐熱パテ剤がこぼれ落ち易いため、前記隙間の全体を十分に閉塞し得るように底部材を加工するのに非常に手間が掛かる問題があった。
【０００４】
そこで、従来、上記の問題を解消するため、固形帯状の耐熱部材を挿通体に巻き付ける状態で前記隙間に備え付ける貫通孔防火措置工法（下記特許文献１参照）や規格化された金属製の受け部材に固形ブロック状の耐熱部材を支持させる状態で耐熱部材を前記隙間に備え付ける貫通孔防火措置工法（下記特許文献１参照）が提案されている。
【特許文献１】特開２００７−２６２７３５号公報
【特許文献２】特開２００８−５７６４７号公報
【発明の開示】
【発明が解決しようとする課題】
【０００５】
ところが、上記の如き従来の貫通孔耐火措置工法では、施工現場での作業量は大幅に低減することができるものの、どうしても固形帯状の耐熱部材と挿通体の外面との間に間隙ができてしまうため、所望の防火性能が得られない問題があった。
【０００６】
本発明は、上述の実情に鑑みて為されたものであって、その主たる課題は、現場作業の少量化と容易化を図りながらも十分な防火性能を得ることのできる貫通孔防火措置工法及びそれに用いられる貫通孔防火措置キットを提供する点にある。
【課題を解決するための手段】
【０００７】
本発明の第１特徴構成は貫通孔防火措置工法に係り、その特徴は、
区画体側に属する貫通孔の内周面とこれに挿通された挿通体の外面との間の隙間にその隙間を閉塞するように固形状の耐熱部材を備え付ける工程と、
前記隙間に備え付けられた前記耐熱部材に受け止め支持させる状態で耐熱部材の手前側に前記隙間を閉塞するように半固形状の耐熱パテ剤を備え付ける工程とを含む点にある。
【０００８】
つまり、上記構成によれば、前記耐熱部材を前記隙間に備え付けることで、耐熱部材で前記隙間を閉塞しながら前記耐熱パテ剤を備え付けるための受け止め支持部を構成し、その耐熱部材に受け止め支持させる状態で耐熱部材の手前側に前記隙間を閉塞するように半固形状の耐熱パテ剤を備え付ける。
【０００９】
それ故に、半固形状の耐熱パテ剤だけで前記隙間を閉塞する場合に比べて耐熱パテ剤を受け止め支持させる専用の受け部材等の加工作業を不要にしながらも、固形状の耐熱部材だけで前記隙間を閉塞する場合に比べて前記隙間の閉塞精度を格段に高めることができる。従って、現場作業の少量化と容易化を図りながらも防火性能を効果的に向上させることができる。
【００１０】
なお、半固形状の耐熱パテ剤を備え付ける部位については、前記隙間の内部と隙間の外部（例えば、隙間に対応する区画体の外面側）のいずれであってもよい。
【００１１】
本発明の第２特徴構成は貫通孔防火措置キットに係り、その特徴は、
第１特徴構成記載の貫通孔防火措置工法に用いられる貫通孔防火措置キットであって、
前記耐熱パテ剤を収容した容器又は袋体と、前記耐熱部材とが含まれている点にある。
【００１２】
上記構成によれば、前記耐熱パテ剤を収容した容器又は袋体と、前記耐熱部材とが含まれているから、施工現場に搬入後、第１特徴構成記載の貫通孔防火措置工法を即座に実施することができる。
【発明を実施するための最良の形態】
【００１３】
図３〜図５は、床スラブＹ（区画体の一例）に形成された貫通孔Ｈの内周面とこれに挿通された束状の配管Ｐ（挿通体の一例）の外面との間の隙間Ｓに防火措置を施す貫通孔耐火措置工法を示す。当該貫通孔耐火措置工法は、図１に示す貫通孔耐火措置キットＫを施工現場に搬入して実施される。
【００１４】
耐火措置キットＫには、図１に示すように、固形状の耐熱部材１と、半固形状の耐熱パテ剤２を収容したＰＥ製（樹脂製の一例）のパテ剤収容袋３と、前記耐熱部材１を前記隙間Ｓに備え付ける金属製の受け部材（備え付け手段の一例）４が含まれている。当該耐火措置キットＫは、複数の耐熱部材１と、複数のパテ剤収容袋３と、複数の受け部材４を梱包箱５に収容して構成されている。
【００１５】
前記耐熱部材１は、図２に示すように、可撓性と不燃性とを有する不燃材層６と、可撓性と耐火性と熱膨張性とを有する耐火熱膨張材層７とを積層した二層構造（不燃材層１と耐火熱膨張材層２を備える複層構造の一例）に構成されている。なお、当該耐熱部材１は、図４に示すように、前記不燃材層６の側が内側となる姿勢において金属製の受け部材４により受け止め支持された状態で前記隙間Ｓに備え付けられる。
【００１６】
具体的には、耐熱部材１は、前記不燃材層６を構成する帯状の不燃材６ａと、前記耐火熱膨張材層７を構成する帯状の耐火熱膨張材７ａとを厚み方向に積層した状態で長尺の細長い拘束袋８（拘束手段の一例）に収容して分離不能な固形状に構成されている。
【００１７】
前記耐火熱膨張材７ａは、合成樹脂やゴム等の可撓性と耐熱性を有するベース材（非不燃性の素材の一例）に熱膨張基材を混成して構成されている。一方、前記不燃材６ａは、可撓性と不燃性を有するフェルト状のロックウール（不燃性の素材の一例）から構成されている。
【００１８】
前記拘束袋８は、透光性を有する樹脂製（例えば、ＰＥ製）のシート材を袋状に整形して構成されている。具体的には、当該耐熱部材１は、前記拘束袋８を構成するシート材を長円筒状に成形したのち、その長円筒状体に前記不燃材６ａと前記耐火膨張材７ａとを積層状態で一端側から挿入し、その後、長円筒状体の両端部８ａ、８ｂを熱融着することによって構成されている。
【００１９】
前記受け部材４は、図３に示すように、貫通孔Ｈ内に挿入配置されるリング状の受け部４ａと、貫通孔Ｈの周縁部に係合する状態でリング状受け部４ａを貫通孔Ｈ内で支持するＬの字状の複数の（本例では４本）の支持脚４ｂとから構成されている。
【００２０】
当該リング状受け部４ａの周方向の一箇所には、周方向の他箇所を開閉操作するための支点となるヒンジ部４ｄが構成されている。また、各支持脚４ｂの屈折端部には、ビスやネジ等の固定手段９で受け部材４を床スラブＨに固定するための取り付け孔４ｅが貫通形成されている。
【００２１】
前記耐熱パテ剤２は、無機質充填材（例えば、炭酸カルシウム）及び熱膨張基材と、未加硫ゴム・ポリオレフィンと、脱水・炭化材（例えば、リン酸化合物）を主要構成材料とする粘土状（半固形状の一例）に構成されている。本例では、無機質充填材及び熱膨張基材と未加硫ゴム・ポリオレフィンと脱水・炭化材（例えば、リン酸化合物）との構成比は、約６５：３０：５である。
【００２２】
前記パテ剤収容袋３は、透光性を有する樹脂製（例えば、ＰＥ製）のシート材を袋状に整形して構成されている。当該パテ剤収容袋３は、前記耐熱パテ剤２を収容した状態で開口部３ａを熱融着等の密封手段で密封され、外面を破断した上で耐熱パテ剤２を取り出すように構成されている。
【００２３】
なお、前記耐熱部材１の耐火熱膨張材７ａや前記耐熱パテ剤２に混合される熱膨張基材としては、未焼成バーミキュラント粉末や膨張黒鉛、アルカリ金属ケイ酸塩などを採用している。
【００２４】
続いて、前記の貫通孔耐火措置工法について工程順に説明する。
まず、図３（ａ）〜（ｂ）に示すように、受け部材４のリング状受け部４ｂを開いた状態で配管Ｐに近接させ、配管Ｐをリング状受け部４ｂの内側に位置させる。
【００２５】
そして、図３（ｂ）に示すように、リング状受け部４ａを閉じた状態で受け部材４を配管Ｐに沿って貫通孔Ｈの内部に挿入して各支持脚４ｂの屈折端部と貫通孔Ｈの周縁部との係合により受け部材４を位置決めしたのち、各支持脚４ｂの屈折端部に形成された取り付け孔４ｅを通じてビスやネジ等の固定手段９により受け部材４を床スラブＨに固定する。
【００２６】
次に、図４（ａ）に示すように、不燃材層６と耐火熱膨張層７との積層方向が貫通孔Ｈの径方向に沿う姿勢、具体的には、耐火熱膨張層７が内側となる姿勢で前記耐熱部材１を配管Ｐの外周面に巻き付ける。
【００２７】
そして、図４（ａ）〜（ｂ）に示すように、配管Ｐの外周面に巻き付けた状態の耐熱部材１を配管Ｐに沿って貫通孔Ｈの側に移動させることにより耐熱部材１を前記隙間Ｓに挿入し、受け部材４に受け止め支持させる状態で耐熱部材１を隙間Ｓの奥側部位又は中間部位に備え付ける。この時点では、配管Ｐの外周面と耐熱部材１の内面との間には、どうしても若干の間隙が形成されてしまう。
【００２８】
次に、図５（ａ）〜（ｂ）に示すように、耐熱部材１に受け止め支持させる状態で収納袋Ｆから取り出した耐熱パテ剤２を前記耐熱部材の手前側（図中上方側）に前記隙間Ｓをぴったりと埋め尽くすように充填し、図５（ｂ）、図６に示す如き貫通孔耐火措置構造が完成する。
【００２９】
すなわち、この貫通孔防火措置工法によれば、半固形状の耐熱パテ剤２だけで前記隙間Ｓを閉塞する場合に比べ、耐熱パテ剤２を受け止め支持させる専用の受け部材等の加工作業を不要にすることができて、施工作業の容易化を図ることができる。
【００３０】
また、固形状の耐熱部材１だけで前記隙間Ｓを閉塞する場合に比べ、半固形状の耐熱パテ剤でもって前記隙間を精度良く閉塞することができて、防火性能も効果的に高めることができる。
【００３１】
〔その他の実施形態〕
（１）前述の実施形態では、固形状の耐熱部材１を隙間Ｓの奥側部位又は中間部位に備え付けるとともに、耐熱部材１に受け止め支持させる状態で半固形状の耐熱パテ剤２を隙間Ｓにおける耐熱部材１の手前側に備え付ける場合を例に示したが、例えば、固形状の耐熱部材１を隙間Ｓの手前側部位に備え付けるとともに、耐熱部材１に受け止め支持させる状態で半固形状の耐熱パテ剤２を隙間Ｓに対応する区画体の外面側（耐熱部材１の手前側の一例）に備え付けてもよい。
【００３２】
この場合、例えば、図７に示すように、耐火パテ剤２の外面側を覆う状態で耐熱パテ剤２を拘束保持する拘束金具１０等で耐火パテ剤２を区画体Ｙの外面側に拘束保持させる形態、或いは、単に区画体の外面側に耐火パテ剤２を盛り付ける形態など、耐火パテ剤２の性状等（例えば、粘性の程度）に応じ適宜に選択すればよい。
【００３３】
（２）前述の実施形態では、耐熱部材１を受け部材４により受け止め支持させる場合を例に示したが、例えば、耐熱部材１を脱落し難い圧縮状態で前記隙間Ｓに備え付けるなどであってもよい。
【００３４】
（３）前述の実施形態では、固形状の耐熱部材１として柔軟な帯状のものを例に示したが、固形状の耐熱部材１は、硬い帯状のものや柔軟な（又は硬い）ブロック状のものなどであってもよい。
【００３５】
（４）前述の実施形態では、前記貫通孔Ｈとして、区画体に貫通形成されたものを例に示したが、例えば、区画体の外面から両端部が突出する状態で区画体に貫通固定された金属製スリーブなどであってもよい。
【００３６】
（５）前述の実施形態では、固形状の耐熱部材１として、不燃材６ａと耐火熱膨張材７ａとから構成されたものを例に示したが、不燃材のみ或いは耐熱材のみから構成されているものなどの種々のものであってもよい。
【００３７】
（６）前述の実施形態では、半固形状の耐熱パテ剤２として、熱膨張性を有するものを例に示したが、熱膨張性を有しないものであってもよく、或いは、石膏やモルタル等の充填時のみ半固形状にするものなどであってもよい。
【００３８】
（７）前述の実施形態では、半固形状の耐熱パテ剤１が粘土状である場合を例に示したが、半固形状の粘性の程度は、使用環境や使用目的等に応じ適宜に変更することができる。
【００３９】
（８）前述の実施形態では、区画体が床スラブＹである場合を例に示したが、側壁や天井壁などであってもよい。
【００４０】
（９）前述の実施形態では、前記挿通体が複数本を束にした束状の配管Ｐである場合を例に示したが、１本の配管や１本のケーブル又は束状のケーブル、或いは、１本又は束状のパイプなどであってもよい。
【００４１】
（１０）前述の実施形態では、耐熱パテ剤２がパテ剤収容袋３に収容されている場合を例に示したが、耐熱パテ剤２が合成樹脂製（例えば、プラスチック製）等の容器に収容されていてもよい。
【図面の簡単な説明】
【００４２】
【図１】貫通孔防火措置キットを示す説明図
【図２】耐熱部材の説明図
【図３】貫通孔防火措置工法を示す説明図
【図４】貫通孔防火措置工法を示す説明図
【図５】貫通孔防火措置工法を示す説明図
【図６】貫通孔防火措置構造の側面断面図
【図７】その他の実施形態における貫通孔防火措置構造の側面断面図
【符号の説明】
【００４３】
Ｙ          区画体（床スラブ）
Ｈ          貫通孔
Ｐ          挿通体（配管）
Ｓ          隙間
Ｋ          貫通孔防火措置キット
１          耐熱部材
２          耐熱パテ剤
３          袋体
【図１】
2009243552.tif 000003
【図２】
2009243552.tif 000004
【図３】
2009243552.tif 000005
【図４】
2009243552.tif 000006
【図５】
2009243552.tif 000007
【図６】
2009243552.tif 000008
【図７】
2009243552.tif 000009